(57)【要約】【課題】  切替ハンドルをコンパクトに形成し、操作を軽快に行うことができる混合水栓を提供する。【解決手段】  水栓本体１の内部にカラン流出口１２とシャワー流出口１３とを備えた弁室１１が形成され、該弁室１１内に設けられ前記両流出口１２，１３を開閉する弁部材２１と、該弁部材２１と連繋し流出口の開放状態，閉塞状態を保持する保持機構Ｂと、該保持機構Ｂを軸方向に挿通自在に保持する固定ナット３１とからなる流路切替弁２０が水栓本体１に固定され、該流路切替弁２０と連繋した切替ハンドル１０の押圧操作毎に一方の流出口と他方の流出口とを交互に開閉する混合水栓Ａにおいて、前記水栓本体１の弁室１１内に流路切替弁２０の保持機構Ｂが収容された。【選択図】  図３
2006010031.tif 000002
【特許請求の範囲】
【請求項１】
水栓本体の内部にカラン流出口とシャワー流出口とを備えた弁室が形成され、該弁室内に設けられ前記両流出口を開閉する弁部材と、該弁部材と連繋し流出口の開放状態，閉塞状態を保持する保持機構と、該保持機構を軸方向に挿通自在に保持する固定ナットとからなる流路切替弁が水栓本体に固定され、該流路切替弁と連繋した切替ハンドルの押圧操作毎に一方の流出口と他方の流出口とを交互に開閉する混合水栓において、前記水栓本体の弁室内に流路切替弁の保持機構が収容されたことを特徴とする混合水栓。
【発明の詳細な説明】
【技術分野】
【０００１】
この発明は、水栓本体内部で混合された湯水を切替ハンドルの操作により、カラン側，シャワー側の何れか一方に切り替え、選択的に吐水させる混合水栓に関するものである。
【背景技術】
【０００２】
従来、水栓本体に設けられた切替ハンドルを操作して、混合された湯水をカラン側，シャワー側の何れか一方に切り替えて吐水させる混合水栓として公知のものに図７のものがある。この混合水栓９１では、流路切替弁９２は水栓本体９３の内部に収容され、カラン流出口９５とシャワー流出口９６とを備えた弁室９４内に、両流出口９５，９６の何れかを開閉する弁体９７を設け、この弁体９７は切替ハンドル９９と連繋したスピンドル９８に連結されており、切替ハンドル９９を回動操作することにより弁体９７を移動させて、カラン流出口９５又はシャワー流出口９６の何れか一方を閉塞し、開放された流出口を介して使用者の所望する方向に湯水を供給するものである。
【０００３】
この混合水栓９１によると、流路切替弁９２は切替ハンドル９９の近傍に湯水の吐水方向を示す表示が設けられているが、洗髪時においては目を閉じたまま切替ハンドル９９を操作するため、切替ハンドル９９を誤って反対方向に回転させることがあった。また、切替ハンドル９９の回転量は多く、使い勝手の悪いものであった。そこで、特許文献１のように、切替ハンドルの操作をプッシュ式とすることで流路の切り替えを行う流路切替弁を備えた混合水栓が登場した。
【０００４】
この混合水栓１０１では流路切替弁１０２は、図８に示すように、軸部１０４を有する切替ハンドル１０３と、その軸部１０４の先端に取り付けられ、切替ハンドル１０３の押し込み方向と同一方向に付勢された往復弁１０５と、切替ハンドル１０３を軸方向にスライド自在に保持する円筒部材１０６と、切替ハンドル１０３を外向きに付勢するコイルばね１０７とから構成されている。また、切替ハンドル１０３には、棒状部材をクランク型に折曲して形成された保持機構１０８が取り付けられるとともに、水栓本体１０１ａに保持機構１０８を案内する案内路１０９を設け、その案内路１０９に保持機構１０８を係合させることで、切替ハンドル１０３を一定量押し込んでから手を離した場合には、保持機構１０８が案内部１０９に係合して切替ハンドル１０３を押し込んだ状態で保持し、かつ、この押し込み状態から切替ハンドル１０３をさらに少し押し込んだところで手を離した場合には、その係合を解除して切替ハンドル１０３が水栓本体１０１ａから突き出した状態に戻すものである。
【０００５】
そして、この流路切替弁１０２は、切替ハンドル１０３が水栓本体１０１ａから前方に突き出した状態では、コイルばね１０７の付勢力により往復弁１０５が円筒部材１０６に当接してカラン流出口１１０を閉塞し、湯水をシャワーヘッドへと導くものである。また、切替ハンドル１０３を水栓本体１０１ａから突き出した状態から押し込んで押し込み状態とすると、コイルばね１０７の付勢力で往復弁１０５がシャワー流出口１１１を閉塞し、湯水をカランへと導くものである。
【０００６】
【特許文献１】実開平４−４５７２号公報
【０００７】
この混合水栓は、切替ハンドルを押す毎にカラン側とシャワーヘッド側の何れかに流路を切り替えることができるが、保持機構を切替ハンドルの内部に収容するため、切替ハンドルを保持機構が収容されるように大きく形成する必要がある。そのため、切替ハンドルが水栓本体の前方に大きく突出してしまい、浴室等の狭い空間で邪魔になるものであった。
【発明の開示】
【発明が解決しようとする課題】
【０００８】
この発明は、このような従来の技術に存在する問題点に着目してなされたものであり、その目的は、切替ハンドルの押圧操作毎に一方の流出口と他方の流出口とを交互に開閉し、その解放状態，閉塞状態を保持する保持機構が切替ハンドルと連繋した混合水栓において、切替ハンドルをコンパクトに形成し、操作を軽快に行うことができるようにするものである。
【課題を解決するための手段】
【０００９】
上記目的を達成するため本発明は、水栓本体の内部にカラン流出口とシャワー流出口とを備えた弁室が形成され、該弁室内に設けられ前記両流出口を開閉する弁部材と、該弁部材と連繋し流出口の開放状態，閉塞状態を保持する保持機構と、該保持機構を軸方向に挿通自在に保持する固定ナットとからなる流路切替弁が水栓本体に固定され、該流路切替弁と連繋した切替ハンドルの押圧操作毎に一方の流出口と他方の流出口とを交互に開閉する混合水栓において、前記水栓本体の弁室内に流路切替弁の保持機構が収容されたものである。
【発明の効果】
【００１０】
本発明の混合水栓では、弁部材の流出口への開放状態又は閉塞状態を保持する保持機構は水栓本体の弁室内に収容されているので、切替ハンドルをコンパクトに形成することができ、軽快に操作することができる。しかも、混合水栓は浴室の狭い空間で邪魔になることがない。
【発明を実施するための最良の形態】
【００１１】
以下、本発明の実施例を図に基づいて詳細に説明する。
【実施例１】
【００１２】
図１は、本発明の混合水栓Ａが浴室等の壁面Ｗに取り付けられた状態の全体図である。この混合水栓Ａは、水栓本体１の背面に水及び湯の各入口部２，２ａが形成され、該入口部２，２ａに取り付けられたクランク形の連結管３，３を介して壁面Ｗに固定されている。混合水栓Ａは水栓本体１内部に温調弁機構４が設けられ、給水配管，給湯配管から連結管３，３を介して供給された水，湯は温調弁機構４により所望温度に混合され、この湯水はカラン５又はシャワーヘッド（図示省略）から吐水されるものである。
【００１３】
前記水栓本体１は横長の箱型形状で、一方の側面には供給された水，湯の混合比を調節する温度調節ハンドル８が設けられ、他方の側面には温度調節ハンドル８で調節された湯水の吐水流量を調節する流量調節ハンドル９が設けられている。また、水栓本体１の前面で略中央には、湯水の吐水方向をカラン５又はシャワーヘッドに連通しているホース７の何れか一方に切り替える切替ハンドル１０が設けられている。
【００１４】
水栓本体１内には、図２及び図３に示すように、カラン５と連通するカラン流出口１２と、シャワーヘッドと連通するシャワー流出口１３とを備えた弁室１１が形成されている。また、水栓本体１の前面略中央には、内周に雌ねじ部１５を備え、弁室１１と連通している開口孔１４が形成され、この開口孔１４に保持機構Ｂを備えた流路切替弁２０が固定されている。
【００１５】
前記流路切替弁２０は切替ハンドル１０が押圧される毎に作動され、カラン流出口１２とシャワー流出口１３の開放状態と閉塞状態とが交互に切り替えられることで、カラン５あるいはシャワーヘッドから湯水が吐水されるようになっている。
【００１６】
図３乃至図５に示すように、流路切替弁２０は、前記弁室１１内に設けられ両流出口１２，１３を開閉する弁部材２１と、この弁部材２１と連繋し流出口１２，１３の開放状態，閉塞状態を保持する保持機構Ｂと、該保持機構Ｂを軸方向に挿通自在に保持し、水栓本体１に螺着される固定ナット３１とから構成されている。
【００１７】
前記弁部材２１は弁室１１に設けられており、薄板状の円板部２２を挟んで上下に円柱形状の軸部２３と筒部２５とがそれぞれ形成されている。軸部２３は直径の異なる円柱を上下に組み合わせた形状で、軸方向の略中央に第１段部２４が形成されている。そして、軸部２３の基端には、円周方向に等間隔で複数個（本実施例では４個）の仕切板２６が突出して形成されている。この仕切板２６は薄板状で、その外周先端は一部が切り欠かれて第２段部２７が形成されている。また、筒部２５の外周にはナット２９を介してパッキン２８が固定されている。
【００１８】
前記固定ナット３１は、外周に雄ねじ部３４が形成された筒部３２と六角形状の工具係止部３３とが上下一体に形成されたもので、筒部３２と工具係止部３３との間には環状溝３５が形成され、この環状溝３５には水栓本体１との水密状態を維持するためのシール部材３９が装着されている。また、固定ナット３１の内部には後述する保持機構Ｂを収容する開口部３６と、保持機構Ｂを軸方向に挿通自在に支持する挿通孔３７とが形成されている。なお、固定ナット３１の筒部３２には、互いが対向する位置となるように２つの切欠３８が形成されている。
【００１９】
前記保持機構Ｂは、弁部材２１と係止され切替ハンドル１０と連繋した操作軸４１の端部に形成された係合片４３と、固定ナット３１に嵌合され弁室１１内に収容された案内部材５１，ガイド６１と、操作軸４１とガイド６１との間に設けられ操作軸４１を外向きに付勢する第１バネ７１と、操作軸４１と弁部材２１との間に設けられ弁部材２１を内向きに付勢する第２バネ７２とから構成されている。
【００２０】
前記操作軸４１は、その一端には前記切替ハンドル１０が取り付けられ、他端には支持孔４２が形成されるとともに、その外周面には円周方向に等間隔で複数個（本実施例では４個）の係合片４３が突出して形成されている。また、支持孔４２の外周縁には、内周側に向けて係止片４４が突出して形成され、この係止片４４の先端には係止爪４５が形成されている。この係止爪４５は前記弁部材２１の第１段部２４に係止され、操作軸４１と弁部材２１とを結合するものである。
【００２１】
前記案内部材５１は円盤形状で、下面又は上面の一方に前記操作軸４１の係合片４３が挿入可能な開口部５２が形成され、他方に操作軸４１の外径と略同径の挿通孔５３が形成されている。また、案内部材５１の外周面には凸部５４が円周方向へ突出して形成されており、この凸部５４は前記固定ナット３１の切欠３８に嵌合されることで、案内部材５１の位置決めがなされる。さらに、図６に示すように、案内部材５１の内周面には複数個（本実施例では４個）の突条５５が等間隔で軸線方向に延びるように形成され、各突条５５間には縦溝５６が形成されている。この突条５５の端部には鋸歯面５７がそれぞれ形成され、各鋸歯面５７によって隣接する縦溝５６の中間部に位置するようにストッパ部５８が形成されている。
【００２２】
前記ガイド６１は内周面に環状の第３段部６２が形成された略円筒形状で、その上面外周縁には第１支持片６３とその第１支持片６３より短い第２支持片６４とが互いに対向する位置に突出して形成されており、第１支持片６３の先端は前記固定ナット３１の切欠３８に嵌合されることで、ガイド６１の位置決めがなされる。また、両支持片６３，６４の内周側には、上端に傾斜面６６，６６ａが形成された第３支持片６５，６５ａがそれぞれ形成されている。
【００２３】
前記操作軸４１の係合片４３とガイド６１の第３段部６２との間には第１バネ７１が、操作軸４１の底面と弁部材２１の第２段部２７との間には第２バネ７２がそれぞれ設けられている。第１バネ７１は操作軸４１を外向き（図３中の左側方向）に付勢するものであり、第２バネ７２は弁部材２１を内向き（図３中の右側方向）に付勢するものである。
【００２４】
この保持機構Ｂは、図３の状態では、第１バネ７１の付勢力により操作軸４１の係合片４３は案内部材５１の縦溝５６に係合して、操作軸４１及び切替ハンドル１０が前方位置に保持されている。この状態から、切替ハンドル１０を押圧操作すると、操作軸４１は第１バネ７１，第２バネ７２の付勢力に抗して後方（図３中の右側）に移動される。この時、操作軸４１の移動に伴って、操作軸４１の係合片４３と案内部材５１の突条５５との係合によって操作軸４１が所定角度回動される。これは図６に示すように、係合片４３が縦溝５６から脱出して、ガイド６１の第３支持片６５先端の傾斜面６６に沿って移動するためである。この状態で切替ハンドル１０から手を離すと、第１バネ７１の付勢力により係合片４３は突条５５の鋸歯面５７に沿って移動し、ストッパ部５８に係合された状態となるため、切替ハンドル１０は後方位置に移動した状態で保持される。また、図４に示すように、第２バネ７２の付勢力により弁部材２１が後方位置に押圧保持されて、パッキン２８によりシャワー流出口１３が閉塞された状態となり、湯水はカラン５から吐水されるようになっている。
【００２５】
さらに、この状態で切替ハンドル１０を再び押圧操作すると、操作軸４１が後方に移動され、操作軸４１の係合片４３と案内部材５１の突条５５との係合により、操作軸４１がさらに所定角度回動される。これは図６に示すように、係合片４３がストッパ部５８から離脱して、ガイド６１の第３支持片６５ａ先端の傾斜面６６ａに沿って移動するためである。この状態で切替ハンドル１０から手を離すと、係合片４３は突条５５の鋸歯面５７に沿って移動し、縦溝５６内に挿入係合された状態となるため、切替ハンドル１０は前方位置に移動した状態で保持される。また、図３に示すように、第１バネ７１の付勢力により操作軸４１は前方位置に移動されて、パッキン２８がガイド６１の底面に当接し、カラン流出口１２が閉塞された状態となり、湯水はシャワーヘッドから吐水されるようになっている。
【００２６】
以上の構成において、水栓本体１に取り付けられた流路切替弁２０の作用を説明する。
図３に示す状態では、切替ハンドル１０が前方位置に配置されて、保持機構Ｂによりその位置に保持されている。よって、温調弁機構４で所定温度に調節された湯水はシャワーヘッドから吐水される。
【００２７】
図３の状態において、流路をシャワーヘッド側からカラン５側に切り替える場合には、切替ハンドル１０を押圧操作する。すると図４に示すように、保持機構Ｂにより切替ハンドル１０が後方位置に保持される。この時、切替ハンドル１０の移動に伴い、操作軸４１が後方へ移動するとともに、第２バネ７２の付勢力により、弁部材２１はシャワー流出口１３を閉塞して、流路がカラン４側に切り替えられる。
【００２８】
さらに、この状態で切替ハンドル１０を再び押圧操作すると、保持機構Ｂにより切替ハンドル１０が前方位置に保持される。この時、切替ハンドル１０の移動に伴い、操作軸４１が前方へ移動することにより、弁部材２１はガイド６１の底面に当接してカラン流出口１２を閉塞して、流路がシャワーヘッド側に切り替えられる。
【００２９】
以上のように本実施例によれば、次のような効果を得ることができる。
本発明の混合水栓においては、流出口の開放状態，閉塞状態を保持する保持機構は水栓本体の弁室内に収容されている。このように、保持機構は切替ハンドルの内部に収容されておらず、保持機構が切替ハンドルの内部に収容された従来の混合水栓と比較して切替ハンドルをコンパクトに形成することができる。そのため、切替ハンドルの水栓本体からの突出量を少なくすることができ、操作をする際にも邪魔にならず、軽快に行うことができる。しかも、浴室の狭い空間で邪魔になることがない。
【図面の簡単な説明】
【００３０】
【図１】本発明の流路切替弁を備えた混合水栓の全体図である。
【図２】混合水栓の一部断面側面図である。
【図３】図２における要部拡大図で、シャワーヘッドから吐水する場合の説明図である。
【図４】図２における要部拡大図で、カランから吐水する場合の説明図である。
【図５】流路切替弁の分解斜視図である。
【図６】案内部材の展開断面図である。
【図７】従来技術の説明図である。
【図８】別の従来技術の説明図である。
【符号の説明】
【００３１】
１１  ：弁室
２０  ：流路切替弁
２１  ：弁部材
３１  ：固定ナット
４１  ：操作軸
４３  ：係合片
５１  ：案内部材
５５  ：突条
６１  ：ガイド
７１  ：第１バネ
７２  ：第２バネ
Ａ    ：混合水栓
Ｂ    ：保持機構
【図１】
2006010031.tif 000003
【図２】
2006010031.tif 000004
【図３】
2006010031.tif 000005
【図４】
2006010031.tif 000006
【図５】
2006010031.tif 000007
【図６】
2006010031.tif 000008
【図７】
2006010031.tif 000009
【図８】
2006010031.tif 000010